(57)【要約】【課題】グループ通信の通信状況に関する詳細な情報を提供すること。【解決手段】管理装置は、呼出端末がグループ通信に参加するか否かを示す応答情報と、呼出端末がグループ通信を受信可能な状態であるか否かを示す端末動作情報とを取得する取得部と、取得部で取得される応答情報および端末動作情報に基づいて、呼出端末のグループ通信への参加情報を含む通信結果情報を作成する処理部と、通信結果情報を送信する送信部と、を備える。通信結果情報に含まれる参加情報は、呼出端末がグループ通信に不参加である場合に、２つ以上の基地局装置または端末装置に関する要因を識別可能な情報である。【選択図】図２
2020161909.tif 000002
【特許請求の範囲】
【請求項１】
呼出端末がグループ通信に参加するか否かを示す応答情報と、前記呼出端末が前記グループ通信を受信可能な状態であるか否かを示す端末動作情報とを取得する取得部と、
前記取得部で取得される応答情報および端末動作情報に基づいて、前記呼出端末の前記グループ通信への参加情報を含む通信結果情報を作成する処理部と、
前記通信結果情報を送信する送信部と、
を備え、
前記通信結果情報に含まれる参加情報は、前記呼出端末が前記グループ通信に不参加である場合に、２つ以上の基地局装置または端末装置に関する要因を識別可能な情報である、
ことを特徴とする管理装置。
【請求項２】
前記取得部は、発呼端末から送信された前記グループ通信の開始要求を受信し、
前記取得部が所定時間以内に所定数以上の参加を示す前記応答情報を受信した場合に、前記グループ通信を実行する通信制御部を、
さらに備える、
ことを特徴とする請求項１に記載の管理装置。
【請求項３】
前記通信制御部は、前記呼出端末の過去の応答情報に基づいて、前記所定時間および前記所定数のうちの少なくとも一方を設定する、
ことを特徴とする請求項２に記載の管理装置。
【請求項４】
前記取得部は、前記グループ通信を実行するための条件が含まれた前記グループ通信の開始要求を受信し、
前記通信制御部は、前記条件に基づいて、前記所定時間および前記所定数のうちの少なくとも一方を設定する、
ことを特徴とする請求項２に記載の管理装置。
【請求項５】
前記処理部は、前記呼出端末がグループ通信に参加したことを示す第１状態、前記呼出端末がグループ通信の参加を拒否したことを示す第２状態、前記取得部が前記呼出端末から前記所定時間以内に応答情報を取得しなかったことを示す第３状態、及び前記呼出端末に開始要求が送信されなかったことを示す第４状態を識別可能な通信結果情報を作成する、
ことを特徴とする請求項２から請求項４のいずれか１項に記載の管理装置。
【請求項６】
呼出端末を指定したグループ通信の開始要求を送信する送信部と、
前記開始要求に対応して、前記呼出端末の前記グループ通信への参加情報を含む通信結果情報を受信する受信部と、
前記受信部で受信した通信結果情報に基づいて、前記呼出端末が前記グループ通信に参加したか否かを示す表示制御データを作成する処理部と、
を備え、
前記通信結果情報に含まれる参加情報は、前記呼出端末が前記グループ通信に不参加である場合に、２つ以上の基地局装置または端末装置に関する要因を識別可能な情報である、
ことを特徴とする端末装置。
【請求項７】
前記送信部は、前記グループ通信を実行するための、前記グループ通信に参加する端末数に関する条件が含まれた開始要求を送信する、
ことを特徴とする請求項６に記載の端末装置。
【請求項８】
コンピュータに、
呼出端末がグループ通信に参加するか否かを少なくとも示す応答情報と、前記呼出端末が前記グループ通信を受信可能な状態であるか否かを示す端末動作情報とを取得する取得ステップと、
前記取得ステップで取得される応答情報および端末動作情報に基づいて、前記呼出端末の前記グループ通信への参加情報を含む通信結果情報を作成する処理ステップと、
前記通信結果情報を送信する送信ステップと、
を実行させるプログラムであって、
前記通信結果情報に含まれる参加情報は、前記呼出端末が前記グループ通信に不参加である場合に、２つ以上の要因を識別可能な情報である、
ことを特徴とするプログラム。
【発明の詳細な説明】
【技術分野】
【０００１】
本発明は、管理装置、端末装置、およびプログラムに関する。
【背景技術】
【０００２】
無線通信システムにおいて、複数の移動局を含むグループ内で、広範囲のエリアに配置された無線基地局装置を介して音声通信などが行われている。
【０００３】
例えば、特許文献１には、ネットワークの圏外にいたため呼び出しに応じられなかった移動局や、グループ通話中に圏外となった移動局の情報をグループ内の移動局において表示する技術が記載されている。また、特許文献１には、圏外にいた移動局が圏内に戻った場合に、グループ通話に途中参加（再参加）する技術が記載されている。また、特許文献１には、発呼側の表示部に未応答移動局情報や、圏外移動局情報を表示させており、グループ通話に参加しているユーザの意図を反映させながら、途中参加させることも記載されている。
【先行技術文献】
【特許文献】
【０００４】
【特許文献１】特開２００８−５１６９号公報
【発明の概要】
【発明が解決しようとする課題】
【０００５】
特許文献１は、移動局がグループ通信に参加できない要因として、移動局が圏外にいることしか考慮していない。しかしながら、移動局が圏内にいたとしても、その移動局がグループ通信に参加できない場合がある。そのため、グループ通信において呼出対象となる呼出端末の参加状況など、グループ通信の通信状況に関する詳細な情報を提供することが望まれている。
【０００６】
本発明は、グループ通信の通信状況に関する詳細な情報を提供することのできる管理装置、端末装置、およびプログラムを提供する。
【課題を解決するための手段】
【０００７】
本発明の管理装置は、呼出端末がグループ通信に参加するか否かを示す応答情報と、前記呼出端末が前記グループ通信を受信可能な状態であるか否かを示す端末動作情報とを取得する取得部と、前記取得部で取得される応答情報および端末動作情報に基づいて、前記呼出端末の前記グループ通信への参加情報を含む通信結果情報を作成する処理部と、前記通信結果情報を送信する送信部と、を備え、前記通信結果情報に含まれる参加情報は、前記呼出端末が前記グループ通信に不参加である場合に、２つ以上の基地局装置または端末装置に関する要因を識別可能な情報である。
【０００８】
本発明の端末装置は、呼出端末を指定したグループ通信の開始要求を送信する送信部と、前記開始要求に対応して、前記呼出端末の前記グループ通信への参加情報を含む通信結果情報を受信する受信部と、前記受信部で受信した通信結果情報に基づいて、前記呼出端末が前記グループ通信に参加したか否かを示す表示制御データを作成する処理部と、を備え、前記通信結果情報に含まれる参加情報は、前記呼出端末が前記グループ通信に不参加である場合に、２つ以上の基地局装置または端末装置に関する要因を識別可能な情報である。
【０００９】
本発明のプログラムは、コンピュータに、呼出端末がグループ通信に参加するか否かを少なくとも示す応答情報と、前記呼出端末が前記グループ通信を受信可能な状態であるか否かを示す端末動作情報とを取得する取得ステップと、前記取得ステップで取得される応答情報および端末動作情報に基づいて、前記呼出端末の前記グループ通信への参加情報を含む通信結果情報を作成する処理ステップと、前記通信結果情報を送信する送信ステップと、を実行させるプログラムであって、前記通信結果情報に含まれる参加情報は、前記呼出端末が前記グループ通信に不参加である場合に、２つ以上の要因を識別可能な情報である。
【発明の効果】
【００１０】
本発明によれば、グループ通信の通信状況に関する詳細な情報を提供することができる。
【図面の簡単な説明】
【００１１】
【図１】図１は、本発明の実施形態に係る無線通信システムの構成を示す模式図である。
【図２】図２は、本発明の実施形態に係る基地局装置の構成の一例を示すブロック図である。
【図３】図３は、本発明の実施形態に係る管理装置の構成の一例を示すブロック図である。
【図４】図４は、端末装置データベースのデータ構造の一例を示す図である。
【図５】図５は、本発明の実施形態に係る端末装置の構成の一例を示すブロック図である。
【図６】図６は、参加情報データベースのデータ構造の一例を示す図である。
【図７】図７は、本発明の実施形態に係るグループ通信における各装置の処理の流れの一例を示すシーケンス図である。
【図８】図８は、図８は、グループ参加要求を受信した端末装置が表示するメッセージの一例を示す図である。
【図９】図９は、端末装置データベースのデータ構造の一例を示す図である。
【図１０】図１０は、表示部に表示されるグループ参加情報を示す図である。
【図１１】図１１は、グループ通信を設定する方法の一例を説明するための図である。
【図１２Ａ】図１２Ａは、グループ人数を設定する方法の一例を説明するための図である。
【図１２Ｂ】図１２Ｂは、参加率を設定する方法の一例を説明するための図である。
【図１２Ｃ】図１２Ｃは、グループ通信を開始させる条件として特定のユーザの参加を設定する方法の一例を説明するための図である。
【図１３】図１３は、表示部に表示させるグループ参加情報の表示条件を選択する方法の一例を説明するための図である。
【発明を実施するための形態】
【００１２】
以下、添付図面を参照して、本発明に係る実施形態を詳細に説明する。なお、この実施形態により本発明が限定されるものではなく、また、実施形態が複数ある場合には、各実施形態を組み合わせて構成するものも含む。
【００１３】
本発明を具体的に説明する前に、まず業務用無線システムの概要を説明する。本発明の実施形態は、ネットワークに接続された複数の基地局装置と、複数の端末装置と、ネットワークに接続されたシステム管理装置を含む業務用無線システムに関する。
【００１４】
業務用途を主とした陸上移動無線システム(ＬＭＲ：Land  Mobile  Radio)の分野においては、複数のシステム形態が存在し、大きく分けてトランキング方式とコンベンショナル方式の２つが存在する。説明を簡潔にするため、本実施形態では、トランキング方式を例に説明するが、本発明はトランキング方式に限定されるものではなく、コンベンショナル方式にも適用可能である。また、本発明は、魚無用無線システムに限定されるものではなく、携帯電話網を使った通信システムなど他の通信システムにも適用できる。
【００１５】
トランキング方式では、無線チャネルをシェアして周波数を効率よく使用するために、基地局装置の回線制御装置を用いて通信が発生するたびに移動局に対して通信チャネルを割り当てることで、各所に配置された基地局装置を経由した移動局間での通信を可能にしたシステムである。業務用無線システムでは、複数の移動局によってグループが形成される。
【００１６】
［無線通信システム］
図１を用いて、本発明の無線通信システム１の構成について説明する。図１は、本発明の無線通信システム１の構成を示す模式図である。図１に図示の無線通信システム１は、例えば業務用無線システムである。
【００１７】
無線通信システム１は、基地局装置１０ａと、基地局装置１０ｂと、基地局装置１０ｃと、基地局装置１０ｄと、端末装置２０ａ−１と、端末装置２０ａ−２と、端末装置２０ａ−３と、端末装置２０ａ−４と、端末装置２０ｂ−１と、端末装置２０ｂ−２と、端末装置２０ｂ−３と、端末装置２０ｃ−１と、端末装置２０ｃ−２と、端末装置２０ｃ−３と、端末装置２０ｄ−１と、端末装置２０ｄ−２と、端末装置２０ｄ−３と、管理装置３０とを含む。図１に示す無線通信システム１は、例示であり、基地局装置の数および端末装置の数を制限するものではない。また、以下の説明において、基地局装置１０ａと、基地局装置１０ｂと、基地局装置１０ｃと、基地局装置１０ｄとを区別する必要のない場合には総称して基地局装置１０と呼ぶこともある。端末装置２０ａ−１と、端末装置２０ａ−２と、端末装置２０ａ−３と、端末装置２０ａ−４と、端末装置２０ｂ−１と、端末装置２０ｂ−２と、端末装置２０ｂ−３と、端末装置２０ｃ−１と、端末装置２０ｃ−２と、端末装置２０ｃ−３と、端末装置２０ｄ−１と、端末装置２０ｄ−２と、端末装置２０ｄ−３とを区別する必要のない場合には総称して端末装置２０と呼ぶこともある。基地局装置１０と、管理装置３０とはネットワークＮＷを介して接続されている。
【００１８】
基地局装置１０ａは、通信エリア１０ａ−１を形成する。基地局装置１０ａは、通信エリア１０ａ−１内に存在する端末と無線通信を行う。図１に示す例では、基地局装置１０ａは、端末装置２０ａ−１、端末装置２０ａ−２、端末装置２０ａ−３、および端末装置２０ａ−４と無線通信を行う。通信エリア１０ａ−１のことを、エリアＡと呼ぶこともある。基地局装置１０ａには、チャネル情報４０ａに示されているように、ＣＨ１からＣＨ７までの複数のチャネルが設定されている。ＣＨ１は制御チャネルである。ＣＨ２からＣＨ７は通信チャネル用に使用されるチャネルである。通信チャネルとは、端末装置２０間でやりとりされる音声、画像、映像、テキストなどのデータを伝送するためのチャネルである。ＣＨ２は、図１に示す例ではグループＩＤが「グループ＃１」のグループ通信によって動的に割り当てられた通信チャネルである。ＣＨ３からＣＨ７は、図１に示す例では、アイドル状態である。アイドル状態のチャネルは、ＣＨ２に割り当てられたグループ「グループ＃１」とは異なるグループのグループ通信が行われるときに通信チャネルとして使用される。
【００１９】
基地局装置１０ｂは、通信エリア１０ｂ−１を形成する。基地局装置１０ｂは、通信エリア１０ｂ−１内に存在する端末と無線通信を行う。図１に示す例では、基地局装置１０ｂは、端末装置２０ｂ−１、端末装置２０ｂ−２、および端末装置２０ｂ−３と無線通信を行う。通信エリア１０ｂ−１のことを、エリアＢと呼ぶこともある。基地局装置１０ｂには、チャネル情報４０ｂに示されているように、ＣＨ１からＣＨ４までの複数のチャネルが設定されている。ＣＨ１は制御チャネルである。ＣＨ２からＣＨ４は通信チャネル用に使用されるチャネルである。ＣＨ２は、図１に示す例ではグループＩＤが「グループ＃１」のグループ通信によって動的に割り当てられた通信チャネルである。ＣＨ３とＣＨ４とは、図１に示す例では、アイドル状態である。
【００２０】
基地局装置１０ｃは、通信エリア１０ｃ−１を形成する。基地局装置１０ｃは、通信エリア１０ｃ−１内に存在する端末と無線通信を行う。図１に示す例では、基地局装置１０ｃは、端末装置２０ｃ−１、端末装置２０ｃ−２、および端末装置２０ｃ−３と無線通信を行う。通信エリア１０ｃ−１のことを、エリアＣと呼ぶこともある。基地局装置１０ｃには、チャネル情報４０ｃに示されているように、ＣＨ１からＣＨ４までの複数のチャネルが設定されている。ＣＨ１は制御チャネルである。ＣＨ２からＣＨ４は通信チャネル用に使用されるチャネルである。ＣＨ２は、図１に示す例ではグループＩＤが「グループ＃１」のグループ通信によって動的に割り当てられた通信チャネルである。ＣＨ３とＣＨ４は、図１に示す例では、アイドル状態である。
【００２１】
基地局装置１０ｄは、通信エリア１０ｄ−１を形成する。基地局装置１０ｄは、通信エリア１０ｄ−１内に存在する端末と無線通信を行う。図１に示す例では、基地局装置１０ｄは、端末装置２０ｄ−１、端末装置２０ｄ−２、および端末装置２０ｄ−３と無線通信を行う。通信エリア１０ｄ−１のことを、エリアＤと呼ぶこともある。基地局装置１０ｄには、チャネル情報４０ｄに示されているように、ＣＨ１からＣＨ５までの複数のチャネルが設定されている。ＣＨ１は制御チャネルである。ＣＨ２からＣＨ５は通信チャネル用に使用されるチャネルである。ＣＨ２は、図１に示す例ではグループＩＤが「グループ＃１」のグループ通信によって動的に割り当てられた通信チャネルである。ＣＨ３からＣＨ５は、図１に示す例では、アイドル状態である。
【００２２】
端末装置２０は、基地局装置１０を介して他の端末装置と通信可能な無線端末である。端末装置２０は、電源が投入されたとき、または待ち受け中の受信電界強度低下時に制御チャネルをサーチして最も品質回線の良い基地局装置を選択し、選択した基地局装置に対して、位置登録とグループ登録を要求する。
【００２３】
以下では、位置登録（位置登録処理）と、グループ登録（グループ登録処理）との概要を説明する。
【００２４】
位置登録は、端末装置２０の情報と、その端末装置２０が今後使用する基地局装置１０の情報とを管理装置３０に登録する処理である。具体的には、まず端末装置２０が今後使用する基地局装置１０に位置登録要求を送信する。位置登録要求を受信した基地局装置１０は、基地局装置１０の識別情報と端末装置２０の識別情報とを含めた情報を管理装置３０に登録する。位置登録によって、管理装置３０は、端末装置２０の存在するエリア（端末装置２０と通信可能な基地局装置１０）を把握できる。これにより、管理装置３０は、端末装置２０に対する通信が発生した時に使用すべき基地局装置１０を特定することが可能になる。例えば、端末装置２０ａ−１が、端末装置２０ｂ−１に向けて発信（発呼）した場合、基地局装置１０ａが電波を受信し、基地局装置１０ｂに中継する。このような処理は、端末装置２０ｂ−１が基地局装置１０ｂを介して管理装置に登録することで、管理装置３０は端末装置２０ｂ−１に係る通信が発生した時に使用すべき基地局装置が基地局装置１０ｂであることを特定できる。以下では、通信を発信（発呼）する端末装置２０を発信端末あるいは発呼端末と呼ぶ。また、発呼端末によって通信相手に指定された端末装置２０、すなわち呼出対象である端末装置２０を呼出端末と呼ぶ。管理装置３０は、１対１の個別通信であれば、呼出端末の存在するエリアの基地局装置１０へすぐに着信を通知する信号を送信することができる。端末装置２０を位置登録することで、端末装置２０を探す手間が省けるため、無線通信システム１を効率的に運用することができる。
【００２５】
グループ登録は、端末装置２０がグループ通信で使用するグループを管理装置３０に登録する処理である。グループ登録することにより、管理装置３０は、発呼端末に指定されたグループに属する呼出端末が存在するエリアの基地局装置１０を把握できる。そのため、管理装置３０は、発呼端末に指定されたグループに属する端末装置２０が存在するエリアを容易に特定し、効率的なグループ通信を行える。なお、グループ登録がなされた後であっても、ユーザは所定の操作を行うことにより、端末装置２０の所属するグループを変更することができる。
【００２６】
端末装置２０は、電源がオフされたとき基地局装置１０に対して位置登録削除を通知することで、管理装置３０に記憶された自身の位置情報を削除する。管理装置３０は、端末装置２０の位置情報を、一元管理している。そのため、管理装置３０は、エリア毎に存在する端末装置２０を把握することができる。管理装置３０は、端末装置２０をグループ登録することにより、グループ呼出の対象となる端末装置２０（呼出端末）の存在するエリアも把握できる。そのため、管理装置３０は、登録されたエリアを呼び出し範囲として、効率的なグループ呼び出しを行うことができる。
【００２７】
ここで、グループ通話を開始する処理の概要について説明する。
【００２８】
端末装置２０においてグループ通話を開始するための発呼が発生した場合、端末装置２０は、制御チャネル上で発信グループ要求を基地局装置１０に送信する。発信グループ要求を受信した基地局装置１０は、グループ通信を行うためのリソースを確保する。例えば、典型的なリソースはチャネルであり、基地局装置１０はグループ通信のためのチャネルを割り当てる。基地局装置１０は、管理装置３０に対して、当該グループ通信を要求する。要求を受信した管理装置３０は、当該グループの基地局装置エリアが登録されているかを確認する。登録されている場合、管理装置３０は、他の基地局装置に対して当該グループに対してチャネルを割り当てることを、ネットワーク経由で要求する。他の基地局装置は、要求に応じて、グループ通信のリソースを確保する。
【００２９】
発信元となる基地局装置１０および他の基地局装置は、通話チャネル情報を含む要求を制御チャネル上で端末装置２０に送信する。当該グループに所属する端末装置２０は、通話チャネル情報を含む要求を制御チャネル上で受信することによって、通話チャネルを認識する。発呼端末は、割り当てられた通話チャネルにて信号を基地局装置１０へ送信する。当該信号には、デジタル化された音声信号が含まれている。基地局装置１０は、当該グループに所属する端末装置２０が自基地局装置に登録されている場合、割り当てた通話チャネルにて信号を送信する。また、基地局装置１０は、受信した信号を管理装置３０に送信する。管理装置３０は、受信した信号を他の基地局装置へ配信する。他の基地局装置は、割り当てた通話チャネル上にて信号を端末装置２０（呼出端末）へ送信する。端末装置２０（呼出端末）は、受信した信号をもとに音声信号をデコードして、スピーカから音声を出力する。
【００３０】
このように、複数の端末装置が含まれたグループが複数形成されている。また、複数の基地局装置のそれぞれがグループ単位にチャネルを割り当てる。その結果、チャネルを割り当てたグループに含まれたひとつの端末装置から、当該グループに含まれた残りの端末装置への通信がなされる。
【００３１】
このようなグループ通話は、ひとつの通話が発生した場合に、各基地局装置のチャネルをひとつ使用する。そのため、同一グループに含まれた端末装置が、広範囲の基地局装置に登録されている場合、システム全体では、１回の通話で基地局装置の数分のチャネルが使用される。以上の処理は、グループごとになされる。
【００３２】
図１を用いて具体的に説明する。図１では「グループ＃１」の通話が行われ際の各基地局装置の動作を示しているが、他のグループの通話が行われる場合の動作についても同様である。図１では、通信エリア１０ａ−１内に存在する端末装置２０ａ−１が発呼端末であるものとして説明する。
【００３３】
端末装置２０ａ−１は、基地局装置１０ａのＣＨ１の制御チャネルを使用して通信を要求（リクエスト）するための信号を送信する。この信号は、「発呼要求」あるいは「発話要求」あるいは「通信要求」とも呼ばれる。管理装置３０には、「グループ＃１」に属する端末装置とそのエリア情報とが対応付けられて登録されている。そのため、管理装置３０は、「グループ＃１」に所属する端末装置のエリア情報を判断して、「グループ＃１」に対するチャネル割り当て要求を基地局装置１０ｂ、基地局装置１０ｃ、基地局装置１０ｄに送信する。各基地局装置の通信エリア内に存在する端末装置は、基地局装置の通信チャネルを使用して信号を受信する。図１に示す例では、基地局装置１０ｂと、基地局装置１０ｃと、基地局装置１０ｄのＣＨ２の通信チャネルを使用して信号を受信する。
【００３４】
図２を用いて、本発明の実施形態に係る基地局装置１０の構成について説明する。図２は、基地局装置１０の構成の一例を示すブロック図である。
【００３５】
基地局装置１０は、アンテナ１１と、通信部１２と、処理部１３と、ネットワークＩＦ（Inter  Face）部１４と、リソース制御部１５と、記憶部１６とを含む。
【００３６】
通信部１２は、端末装置２０との間で情報通信を行う。通信部１２は、受信部１２１と、送信部１２２とを含む。
【００３７】
受信部１２１は、端末装置２０からの上り信号を、アンテナ１１を介して受信する。受信部１２１で受信する上り信号には、端末装置２０からの音声信号、位置登録情報、グループ通信要求など、端末装置２０から送信されてくる種々の情報を含む。受信部１２１は、端末装置２０から受信した上り信号を処理部に出力する。
【００３８】
送信部１２２は、端末装置２０に対して下り信号を、アンテナ１１を介して送信する。送信部１２２で送信する下り信号には、音声信号、グループ通信要求など、処理部１３から入力される情報を含む。
【００３９】
処理部１３は、種々の信号を処理する。処理部１３は、受信部１２１が位置登録要求を受信した場合、その位置等要求を記憶部１６に出力する。記憶部１６は、端末装置のユニット情報と待ち受けるグループ情報を記憶する。また、処理部１３は、位置登録要求をネットワークＩＦ部１４へ出力する。ネットワークＩＦ部１４は、ネットワークＮＷを介して管理装置３０へ位置登録要求を送信する。基地局装置１０から管理装置３０に送信される位置登録要求には、後述するように、端末装置２０を識別する端末装置ＩＤ（端末識別子）と、端末装置２０を使用するユーザを識別するユーザＩＤ（ユーザ識別子）と、端末装置２０が属するグループを識別するグループＩＤ（グループ識別子）と、端末装置２０からの位置登録要求（端末装置２０からの電波）を受信した基地局装置１０を識別する基地局ＩＤ（基地局識別子）とが含まれる。
【００４０】
処理部１３は、受信部１２１がグループ通信要求を受信した場合、そのグループ通信要求をリソース制御部１５へ出力する。リソース制御部１５は、通信に必要なリソースを管理する。典型的なリソースは、無線通信に使用するチャネルである。また、チャネル以外にも、基地局装置１０において通信処理を実行するのに必要なＣＰＵ（Central  Processing  Unit）やメモリなどの処理能力や使用する電力量などをリソースと呼ぶ。リソース制御部１５は、グループ通信チャネルの割り当て管理と、ＣＰＵやメモリの空き状況と、消費電力量などを監視している。リソース制御部１５は、リソースが確保できた場合、通信チャネルの情報を処理部１３へ出力する。処理部１３は、通信チャネルの情報を送信部１２２へ出力する。送信部１２２は、通信チャネル情報を発呼した端末装置２０に通知する。
【００４１】
処理部１３は、受信部１２１が音声信号を受信した場合、その音声信号をネットワークＩＦ部１４へ出力する。ネットワークＩＦ部１４は、ネットワークＮＷを介して管理装置３０へ音声信号を送信する。
【００４２】
処理部１３は、端末装置からの応答結果と応答時間の情報を含む情報を受けた場合、その情報をネットワークＩＦ部１４へ出力する。ネットワークＩＦ部１４は、ネットワークＮＷを介して応答結果と応答時間の情報を含む情報を管理装置へ情報を送信する。応答時間と応答結果については後述する。
【００４３】
ネットワークＩＦ部１４は、他の基地局装置で発生したグループ通話におけるチャネル割り当て要求を管理装置３０から受信する。ネットワークＩＦ部１４は、処理部１３にチャネル割り当て要求を出力する。処理部１３は、グループ通話におけるチャネル割り当て要求をリソース制御部１５へ出力する。リソース制御部１５は、チャネル割り当て要求に基づいてリソースを確保する。リソース制御部１５は、リソース確保に成功した場合、通信チャネルの情報を処理部１３へ出力する。処理部１３は、受けた通話チャネルの情報を送信部１２２へ出力する。また、処理部１３は、ネットワークＩＦ部１４へリソース確保応答(成功)を出力する。リソース制御部１５は、リソース確保に失敗した場合、リソース確保応答(失敗)を処理部１３へ出力する。処理部１３は、受けた、リソース確保応答(失敗)をネットワークＩＦ部１４へ出力する。リソース確保応答については後述する。リソースの典型はチャネルであるため、リソース確保応答は、「チャネル確保応答」とも呼ばれる。リソース確保応答は、基地局装置１０の動作状況を示す情報であるため、基地局装置の動作情報あるいは基地局動作情報とも呼ばれる。なお以下では、「リソース確保応答(成功)」あるいは「チャネル確保応答(成功)」を「成功応答」、「リソース確保応答(失敗)」あるいは「チャネル確保応答(失敗)」を「失敗応答」と呼ぶ場合もある。
【００４４】
ネットワークＩＦ部１４は、リソース確保応答を管理装置３０へ送信する。ネットワークＩＦ部１４は、管理装置３０から音声信号を受信すると、処理部１３へ出力する。処理部１３は、音声信号を送信部１２２に出力する。送信部１２２は、処理部１３から受けた音声信号を、アンテナ１１を介して端末装置２０へ送信する。
【００４５】
図３を用いて、本発明の実施形態に係る管理装置３０の構成について説明する。図３は、本発明の実施形態に係る管理装置３０の構成の一例を示すブロック図である。
【００４６】
管理装置３０は、ネットワークＩＦ部３１と、処理部３２と、記憶部３３と、通信制御部３４とを備える。処理部３２は、取得部３５を含む。
【００４７】
ネットワークＩＦ部３１は、ネットワークＮＷを介して、基地局装置１０との間で発呼要求、音声信号、終了通知、端末装置の参加状況の報告通知、リソース確保の結果応答などを受信し、処理部３２へ出力する。ネットワークＩＦ部３１は、ネットワークＮＷを介して、応答結果と応答時間の情報を含む情報を基地局装置１０から受信する。
【００４８】
処理部３２は、発呼要求を受信すると、記憶部３３を検索し、発呼要求に含まれるグループ名（グループＩＤ）に基づいて、そのグループが登録されているエリアの基地局装置ＩＤを取得する。そして、処理部３２は、そのグループが登録された基地局装置１０に対して、ネットワークＮＷを介して「グループ参加要求」情報を送信する。なお以下では、「グループ参加要求」を「参加要求」と呼ぶ場合もある。処理部３２は、グループ通信に係る各々の基地局装置１０から、「グループ参加要求」に対応して端末装置の呼出し処理を実行できたか否か等を示す情報をすべて収集し、グループ参加情報を作成（生成）する。そして、作成したグループ参加情報を発呼した端末装置２０にネットワークＮＷを介して通知を行う。グループ参加情報は、通信結果情報とも呼ばれる。取得部３５は、処理部３２に含まれており、取得部３５は処理部３２の一部であるともいえる。取得部３５は、後述するように、処理部３２がグループ参加情報を作成するために必要なデータを、ネットワークＩＦ部３１を介して基地局装置１０から、あるいは記憶部３３から取得する。
【００４９】
処理部３２は、過去の応答時間から応答時間の平均値を計算する。処理部３２は、図４に示す端末装置データベース３３１に応答結果と関連付けて応答平均時間の情報を記憶する。なお、処理部３２は、今までに１度も参加応答を返していない端末装置２０については、応答平均時間が計算不能であることを示す「−」や「ＮＵＬＬ」等を端末装置データベース３３１に記憶する。
【００５０】
記憶部３３は、種々のデータを記憶する。記憶部３３は、例えば端末装置データベース３３１を記憶している。端末装置データベース３３１は、各基地局装置に登録された端末装置に関する種々の情報を含む。
【００５１】
図４を用いて、端末装置データベース３３１について説明する。図４は、端末装置データベース３３１のデータ構造の一例を示す図である。
【００５２】
図４に示すとおり、端末装置データベース３３１では、「基地局ＩＤ」と、「端末装置ＩＤ」と、「応答結果」と、「応答平均時間」と、「参加率」とが関連付けられている。
【００５３】
「基地局ＩＤ」は、関連付けられている端末装置が接続する基地局を識別するための識別情報である。「＃Ａ」は基地局装置１０ａ、「＃Ｂ」は基地局装置１０ｂ、「＃Ｃ」は基地局装置１０ｃ、「＃Ｄ」は基地局装置１０ｄを意味している。説明を簡潔にするため、図４に示す例では、基地局ＩＤが「＃Ｃ」のみが示されている。ずなわち、図４は、基地局装置１０ｃに属する端末装置に関する情報を示している。
【００５４】
「端末装置ＩＤ」は、端末装置を一意に識別するための識別情報である。図４に示す通り、基地局ＩＤ「＃Ｃ」の基地局装置１０ｃには、「＃２０ｃ−１」と、「＃２０ｃ−２」と、「＃２０ｃ−３」と、「＃２０ｃ−４」と、「＃２０ｃ−５」との５台の端末装置が属している。「端末装置ＩＤ」が「＃２０ｃ−１」の端末装置は、端末装置２０ｃ−１である。「端末装置ＩＤ」が「＃２０ｃ−２」の端末装置は、端末装置２０ｃ−２である。「端末装置ＩＤ」が「＃２０ｃ−３」の端末装置は、端末装置２０ｃ−３である。「端末装置ＩＤ」が「＃２０ｃ−４」の端末装置は、端末装置２０ｃ−４である。「端末装置ＩＤ」が「＃２０ｃ−５」の端末装置は、端末装置２０ｃ−５である。
【００５５】
「応答結果」は、グループ参加要求に対する端末装置２０の応答を示している、図４に示す例では、「応答結果」として、「参加」と、「参加拒否」と、「無反応」と、「電源オフ」とが示されている。「参加」は、グループ通信に参加したことを意味する。「参加拒否」は、ユーザ操作によってグループの参加を明示的に拒否したことを意味する。「無反応」は、通信圏外にいる、あるいはユーザがグループ通信の着信に気づかなかった等の理由により、所定時間以内に参加応答を送信しなかったことを意味する。「電源オフ」は、端末装置２０の電源がオフであり、グループ通信に参加できていないことを意味する。
【００５６】
「応答平均時間」は、グループ参加要求に対する端末装置２０の応答時間の平均値である。応答時間とは、端末装置２０がグループ参加要求を受けてから応答結果を返すまでの時間である。応答時間は、基地局装置１０が、端末装置２０にグループ参加要求を送信してから、端末装置２０から応答結果を受信するまでの時間であるともいえる。図４では、応答平均時間は「秒」で示されている。例えば、端末装置２０ｃ−１は、グループ参加要求を受けてから応答するまでの平均時間は「１０秒」であることが示されている。例えば、端末装置２０ｃ−５は、グループ参加要求を受けてから応答したことがないことが示されている。図４では、端末装置２０が特定の基地局装置１０に登録された以降の応答を対象に応答平均時間を算出している。例えば、図４に示す例において、基地局装置１０ｃに端末装置２０ｃ−１が登録されて以降において、端末装置２０ｃ−１が基地局装置１０ｃに応答を返すまでの応答時間の平均値を「１０秒」として算出している。ただし、どの基地局装置１０に端末装置２０が登録されているかに係らず、端末装置２０に関する過去の全ての応答時間、あるいは所定期間（例えば、直近の１ヶ月間）における応答時間を対象にして平均値を算出してもよい。例えば、図４に示す例において、端末装置２０ｃ−１が過去に基地局装置１０ｃ以外の基地局装置１０に登録されたときの応答時間を用いて応答平均時間を算出してもよい。その場合、管理装置３０の記憶部３３に、端末装置２０ごとに過去の全ての応答時間を記憶しておけばよい。
【００５７】
「参加率」は、過去にグループ参加要求に対して、端末装置２０が「参加」と応答した割合である。例えば、端末装置２０ｃ−１は、グループ通話への参加率が「１００％」であることが示されている。この参加率は、応答平均時間と同様に、端末装置２０が特定の基地局装置１０（ここでは基地局装置１０ｃ）に登録された以降の応答を対象に算出してもよいし、どの基地局装置１０に登録されたかに係らず、端末装置２０の過去の全ての応答あるいは過去の所定期間の応答をもとに算出されてもよい。
【００５８】
通信制御部３４は、グループ参加要求に対する応答結果の待ち時間（タイマーの待ち時間）を決定する。具体的には、通信制御部３４は、以下で説明する５つの方法のいずれかを用いて決定する。なお、以下で説明する方法は、通信制御部３４が応答の待ち時間を決定する方法を限定するものではない。
【００５９】
（第１の方法）
第１の方法では、通信制御部３４は、呼出対象の端末装置（呼出端末）の応答平均時間から、呼出対象の全ての端末装置の応答平均時間の平均値（基準時間）を算出し、その平均値に基づいて、待ち時間を決定する。例えば、通信制御部３４は、平均値そのものを待ち時間にする。例えば、図４に示す例のように、４つの端末装置の応答平均時間が「１０秒」、「３秒」、「５秒」、「１４秒」である場合、通信制御部３４は、これらの平均値を算出する。この場合、通信制御部３４は、「（１０＋３＋５＋１４）／４＝８秒」、と算出して、「８秒」を待ち時間にする。なお、通信制御部３４は、図４の端末ＩＤ「＃２０ｃ−５」のように応答平均時間が算出されていない端末装置は、平均値（基準時間）の算出に用いない。
【００６０】
通信制御部３４は、基準時間に所定の係数（例えば、「１．５」）を乗算した値や、基準時間に所定値（例えば、「５秒」）を加算した値を待ち時間にしてもよい。例えば、通信制御部３４は、基準時間が「８秒」である場合、「８×１．５＝１２秒」、「８＋５＝１３秒」などと計算すればよい。この場合、通信制御部３４は、「１３秒」を待ち時間にする。
【００６１】
（第２の方法）
第２の方法では、通信制御部３４は、端末装置の中で応答平均時間が最も長い端末装置の応答平均時間（基準時間）をもとに、待ち時間を決定する。例えば、通信制御部３４は、基準時間そのものを待ち時間にしてもよい。具体的には、通信制御部３４は、４つの端末装置の応答平均時間が「１０秒」、「３秒」、「５秒」、「１４秒」である場合、最も長い応答平均時間「１４秒」を待ち時間にする。
【００６２】
通信制御部３４は、基準時間に所定の係数（例えば、「１．２」）を乗算した値、または、基準時間に所定値（例えば、「３秒」）を加算した値を待ち時間にしてもよい。例えば、通信制御部３４は、基準時間が「１４秒」である場合、「１４×１．２＝１６．８秒」、「１４＋３＝１７秒」などと計算すればよい。
【００６３】
（第３の方法）
上記の第１の方法および第２の方法では、呼出対象の全ての端末装置の情報を用いて待ち時間を決定したが、第３の方法では、通信制御部３４は、呼出対象の一部の端末装置の情報を用いて待ち時間を決定する。
【００６４】
具体的には、通信制御部３４は、参加率が閾値（所定値）以上の端末装置を待ち時間算出の対象とする。例えば、図４に示す例のように、５つの端末装置の参加率が「１００％」、「８０％」、「５０％」、「２０％」、「０％」であり、閾値を「６０％」とした場合、参加率が「１００％」と「８０％」の２つの端末装置が待ち時間算出の対象となる。そして、通信制御部３４は、参加率の高い２つの端末装置の応答平均時間を用いて、第１の方法または第２の方法で、待ち時間を算出すればよい。例えば、通信制御部３４は、２つ端末装置の応答平均時間が「１０秒」と「３秒」であり、第２の方法を用いる場合、これらのうちで最も長い「１０秒」が待ち時間となる。
【００６５】
なお、通信制御部３４は、参加率の最も高い順に所定数（１以上）の端末装置を選択し、選択した端末装置の情報のみを用いて待ち時間を決定してもよい。この場合、通信制御部３４は、例えば、所定数を「１」として、最も参加率が高い端末装置を選択し、その端末装置の応答平均時間を用いて、第１の方法または第２の方法で、待ち時間を算出すればよい。
【００６６】
（第４の方法）
第４の方法では、通信制御部３４は、端末装置の参加率に応じて、端末装置ごとに基準時間を算出し、基準時間に基づいて待ち時間を算出する。
【００６７】
具体的には、まず、通信制御部３４は、参加率に応じて係数を決定する。例えば、通信制御部３４は、参加率が８０％より大きくかつ１００％以下であれば、係数を「２」とし、参加率が６０％より大きくかつ８０％であれば、係数を「１．５」とし、参加率が３０％より大きくかつ６０％以下であれば、係数を「１」とし、参加率が３０％以下であれば、係数を「０．８」とする。つまり、参加率が高いほど、大きな値の係数を設定する。なお、これらの係数は、ユーザが自由に変更できてもよい。
【００６８】
通信制御部３４は、端末装置ごとに、係数と応答平均時間とを乗算して、基準時間を算出する。例えば、通信制御部３４は、端末装置２０ｃ−１の参加率が「１００％」で応答平均時間が「１０秒」である場合、係数は「２」となるので、「１０×２＝２０秒」を端末装置２０ｃ−１の基準時間として算出する。また、通信制御部３４は、端末装置２０ｃ−２の参加率が「８０％」で応答平均時間が「３秒」である場合、係数は「１．５」となるので、「３×１．５＝４．５秒」を端末装置２０ｃ−２の基準時間として算出する。また、通信制御部３４は、端末装置２０ｃ−３の参加率が「５０％」で応答平均時間が「５秒」である場合、係数は「１．０」となるので、「５×１．０＝５秒」を端末装置２０ｃ−３の基準時間として算出する。
【００６９】
次に、通信制御部３４は、各端末装置の基準時間に基づいて、待ち時間を決定する。例えば、最も長い基準時間を待ち時間に設定する。例えば、通信制御部３４は、３つの端末装置の基準時間が「１０秒」、「４．５秒」、「５秒」である場合、最も長い「１０秒」を待ち時間とする。あるいは、最も長い基準時間に対して、さらに所定値を乗算した値や所定値を加算した値を待ち時間にしてもよい。
【００７０】
（第５の方法）
上記の第１の方法〜第４の方法は、待ち時間を１つに設定しているが、端末装置ごとに待ち時間を設定してもよい。
【００７１】
具体的には、第５の方法では、通信制御部３４は、第４の方法と同様にして、端末装置ごとに基準時間を算出する。そして、通信制御部３４は、基準時間に基づいて、端末装置ごとの待ち時間を決定する。例えば、端末装置２０ｃ−１の基準時間が「２０秒」であり、端末装置２０ｃ−２の基準時間が「４．５秒」であり、端末装置２０ｃ−３の基準時間が「５秒」であるとする。この場合、通信制御部３４は、端末装置２０ｃ−１の待ち時間を「２０秒」とし、端末装置２０ｃ−２の待ち時間を「４．５秒」とし、端末装置２０ｃ−３の待ち時間を「５秒」とする。つまり、一律の待ち時間ではなく、端末装置ごとに異なる待ち時間を用いる。この場合、端末装置２０ｃ−１は「２０秒」待ってもらえるが、端末装置２０ｃ−２は「４．５秒」しか待ってもらえない。管理装置３０としては、最も長い待ち時間だけ、この場合端末装置２０ｃ−１の「２０秒」だけ待つことになるが、例えば端末装置２０ｃ−２が「１０秒」後に「参加」の応答結果を返しても、端末装置２０ｃ−２は無反応とみなす。このような方法を用いることにより、呼出し端末装置のユーザが、参加応答を返す時間を短縮するように努める効果が得られる。
【００７２】
通信制御部３４は、第１の方法〜第５の方法のいずれかを用いて決定した待ち時間だけ待機し、それまでに受信した「参加」の応答結果の数をもとに、グループ通信開始の可否を決定する。例えば、通信制御部３４は、「参加」の応答結果が所定数（例えば、３つ）以上得られた場合に、グループ通信を開始し、それ以外の場合に、グループ通信を中止する。または、通信制御部３４は、「参加」の応答結果が所定割合（例えば、呼出対象の端末装置の７０％）以上得られた場合にグループ通信を開始し、それ以外の場合にグループ通信を中止する。また、通信制御部３４は、特定の端末装置（ユーザ）が「参加」の応答結果を返した場合、グループ通信を開始し、それ以外の場合に、グループ通信を中止してもよい。特定の端末装置（ユーザ）は、１つでも良いし、複数であっても良い。例えば、グループの責任者や管理者など、グループにおいて重要なユーザが使用する端末装置を特定の端末装置に指定してもよい。
【００７３】
図５を用いて、本発明の実施形態に係る端末装置２０の構成について説明する。図５は、本発明の実施形態に係る端末装置２０の構成の一例を示すブロック図である。
【００７４】
端末装置２０は、マイク２１と、スピーカ２２と、操作部２３と、表示部２４と、処理部２５と、記憶部２６と、通信部２７と、アンテナ２８とを備える。通信部２７は、受信部２７１と、送信部２７２とを備える。
【００７５】
マイク２１は、通話の際に、ユーザからの音声を受け付け、音声を音声信号に変換する。マイク２１は、音声信号を処理部２５へ出力する。
【００７６】
スピーカ２２は、通話の際に、処理部２５からの音声信号を受け付け、音声信号を音声として出力する。なお、スピーカ２２は、警告音等を出力してもよい。
【００７７】
操作部２３は、ボタン、タッチパネル等によって構成されており、ユーザからの入力を受け付ける。操作部２３は、受け付けた入力を処理部２５へ出力する。
【００７８】
表示部２４は、処理部２５からの画像、メッセージを受け付け、それらを表示する。画面がタッチパネルである場合、表示部２４は、操作部２３と一体的に構成される。なお、表示部２４は、端末装置２０に含めなくともよい。例えば、端末装置２０に外部の表示装置（図示せず）を接続し、接続した表示装置に情報を表示させるように構成することも可能である。
【００７９】
処理部２５は、端末装置２０の電源がオンされた場合、あるいは新たなエリアに端末装置２０が進入した場合、位置登録要求とグループ登録要求を生成し、位置登録要求とグループ登録要求を送信部２７２に送信させる。
【００８０】
送信部２７２は、処理部２５の制御に従って、位置登録要求とグループ登録要求を上り制御チャネル上で基地局装置１０に送信する。送信部２７２が上り制御チャネルを送信した後、受信部２７１は、基地局装置からの下り制御チャネル上で位置登録要求に対する応答を受信する。受信部２７１は、基地局装置１０から発呼要求を受信すると処理部２５へ出力する。処理部２５は、発呼要求に基づいて、受信すべき該当グループなのかを判断する。受信部２７１は、基地局装置１０からグループ参加情報を受信すると処理部２５へ出力する。処理部２５は、各端末装置のグループ参加情報を記憶部２６に記憶させる。記憶部２６は、各端末装置のグループ参加情報を参加情報データベース２６１として記憶している。
【００８１】
図６を用いて、参加情報データベース２６１について説明する。図６は、参加情報データベース２６１のデータ構造の一例を示す図である。
【００８２】
図６に示す通り、参加情報データベース２６１では、「基地局ＩＤ」と「端末装置ＩＤ」と「参加情報」とが関連付けられている。
【００８３】
「基地局ＩＤ」は、グループ参加要求を受信する端末装置が属する基地局を識別するためのＩＤである。
【００８４】
「端末装置ＩＤ」は、グループ参加要求を受信した端末装置を一意に識別するためのＩＤである。「端末装置ＩＤ」が「＃２０ａ−２」の端末装置は、端末装置２０ａ−２である。「端末装置ＩＤ」が「＃２０ａ−４」の端末装置は、端末装置２０ａ−４である。「端末装置ＩＤ」が「＃２０ｂ−１」の端末装置は、端末装置２０ｂ−１である。「端末装置ＩＤ」が「＃２０ｂ−２」の端末装置は、端末装置２０ｂ−２である。「端末装置ＩＤ」が「＃２０ｂ−３」の端末装置は、端末装置２０ｂ−３である。「端末装置ＩＤ」が「＃２０ｄ−１」の端末装置は、端末装置２０ｄ−１である。「端末装置ＩＤ」が「＃２０ｄ−２」の端末装置は、端末装置２０ｄ−２である。「端末装置ＩＤ」が「＃２０ｄ−３」の端末装置は、端末装置２０ｄ−３である。
【００８５】
「参加情報」の欄には、例えば「参加」、「電源オフ」、「リソース不足」、「参加拒否」、「無反応」、「ネットワーク障害」といった情報が格納される。
【００８６】
「参加」は、グループ通信に参加したことを示す。図６に示す例では、端末装置２０ａ−１と、端末装置２０ｃ−４とがグループ通信に参加したことが示されている。
【００８７】
「電源オフ」は、端末装置２０の電源がオフであり、グループ通話に参加できていいないことを示す。図６に示す例では、端末装置２０ａ−４が電源オフであったことが示されている。
【００８８】
「リソース不足」は、基地局装置１０のリソース不足により、グループ通信に参加できていない状態を示す。例えば、「基地局装置１０の通信チャネルが不足している」、「基地局装置１０のＣＰＵやメモリなどの処理能力が不足している」、「基地局装置１０が使用可能な電力量を超えている」などの状況である。図６に示す例では、端末装置２０ｂ−１と、端末装置２０ｂ−２と、端末装置２０ｂ−３とが、基地局装置１０ｂのリソース不足により、グループ通信に参加できなかったことが示されている。
【００８９】
「参加拒否」は、端末装置２０のユーザの操作によって、ユーザがグループの参加を明示的に拒否したことを示す。図６に示す例では、端末装置２０ｃ−１がグループの参加を拒否したことが示されている。
【００９０】
「無反応」は、通信圏外にいる、あるいはユーザがグループ通信の着信に気づかなかった等の理由により、所定時間以内に参加応答を送信しなかったことを示す。図６に示す例では、端末装置２０ｃ−２と、端末装置２０ｃ−３とが無反応であったことが示されている。
【００９１】
「ネットワーク障害」は、管理装置３０と、基地局装置１０との間のネットワークが切断状態にあり、グループ通信に参加できていない状態を示す。図６に示す例では、端末装置２０ｄ−１と、端末装置２０ｄ−２と、端末装置２０ｄ−３とが、基地局装置１０ｄと、管理装置３０との間のネットワーク障害により、グループ通信に参加できなかったことが示されている。
【００９２】
処理部２５は、記憶部２６の参加情報データベース２６１からグループ参加情報を読み出して、表示部に表示する。
【００９３】
[無線通信システムの処理]
図７を用いて、本発明の実施形態に係るグループ通信の処理について説明する。図７は、本発明の実施形態に係るグループ通信における各装置の処理の流れの一例を示すシーケンス図である。具体的には、図７では、端末装置がグループ通信の呼び出しを受信した際に、ユーザが所定の操作を行って、グループ通信に参加するか否かを回答し、その情報を端末装置から基地局装置に送信する処理を示している。
【００９４】
図７では、基地局装置１０ａに発呼端末である端末装置２０ａ−１が登録されており、基地局装置１０ｃに、端末装置２０ｃ−１〜端末装置２０ｃ−４の４つの端末装置が登録されおり、登録されている状態を示している。説明を簡潔にするため、その他の基地局装置および端末装置については省略している。
【００９５】
まず、端末装置２０ａ−１は、上り制御チャネルにおいて、グループ通信開始要求を送信する（ステップＳ１１）。
【００９６】
基地局装置１０ａは、端末装置２０ａ−１からグループ通信開始要求を受けるとリソース（通話チャネルなど）を確保する（ステップＳ１２）。基地局装置１０ａは、リソースを確保するとグループ通信開始要求を管理装置３０に送信する（ステップＳ１３）。
【００９７】
管理装置３０は、グループ通信を待ち受けする端末装置が存在するエリアを検索する（ステップＳ１４）。管理装置３０は、ステップＳ１４における検索結果に基づいて、配信エリアを決定する（ステップＳ１５）。ここでは、管理装置３０は、基地局装置１０ａと、基地局装置１０ｃとにグループ参加要求を送信すると決定する。
【００９８】
管理装置３０は、基地局装置１０ａに対しグループ参加要求を送信する（ステップＳ１６）。これは、基地局装置１０ａに端末装置２０ａ−１以外の端末装置が登録されている場合に、その端末装置にグループ参加要求を送信するための処理である。基地局装置１０ａは、通信チャネル情報を端末装置２０ａ−１に送信する（ステップＳ１７）。
【００９９】
管理装置３０は、基地局装置１０ｃに対して、グループ参加要求を送信する（ステップＳ１８）。この際、管理装置３０は、グループ通信開始の可否を判定するためのタイマーを起動する（ステップＳ１９）。このタイマーの待ち時間は、予め定められた所定の時間（例えば、２０秒）に設定されていてもよいし、上述の（第１の方法）〜（第５の方法）のいずれかにより設定されてもよいし、後述するように、端末装置２０のユーザによって設定されてもよい。
【０１００】
基地局装置１０ｃは、グループ参加要求を受けるとリソース（通話チャネル）を確保する（ステップＳ２０）。基地局装置１０ｃは、リソース確保が成功したか否かを示すリソース確保応答を管理装置３０に送信する（ステップＳ２０ｃ）。リソース確保応答は、リソース確保（成功）あるいはリソース確保（失敗）のいずれかである。管理装置３０の取得部３５は、ネットワークＩＦ部３１を介して基地局装置１０からリソース確保応答を取得する。また、取得部３５は、ステップＳ３５でグループ参加要求を送信してから所定時間以内に、基地局装置１０からリソース確保応答を取得できない場合、その基地局装置１０に係るネットワークに障害が発生したと判定する。この場合、取得部３５は、ネットワーク障害に関する情報を取得したともいえる。また、基地局装置１０ｃは、リソースを確保すると、端末装置２０ｃ−１〜端末装置２０ｄ−４に対し、グループ参加要求を送信する（ステップＳ２１ａ、ステップＳ２１ｂ、ステップＳ２１ｃ、ステップＳ２１ｄ）。
【０１０１】
端末装置２０ｃ−１から端末装置２０ｃ−４は、グループ参加要求を受信すると、表示部にメッセージを表示する（ステップＳ２２ａ、ステップＳ２２ｂ、ステップＳ２２ｃ、ステップＳ２２ｄ）。
【０１０２】
図８を用いて、グループ参加要求を受信した端末装置が表示するメッセージについて説明する。図８は、グループ参加要求を受信した端末装置が表示するメッセージの一例を示す図である。なお、図８では、端末装置２０ｃ−１が表示するメッセージを示している。端末装置２０ｃ−２から端末装置２０ｃ−４が表示するメッセージについても同様なので説明は省略する。
【０１０３】
端末装置２０ｃ−１は、表示部に表示画面３００を表示させる。表示画面３００には、例えば「端末装置２０ａ−１からグループ通信の参加要請がありました。あなたの他に３人（端末装置２０ｃ−２、端末装置２０ｃ−３、端末装置２０ｃ−４）が参加要請されています。このグループ通信に参加しますか？」といったメッセージが含まれる。すなわち、端末装置２０ｃ−１は、グループ通信の参加を要求した端末装置と、グループ通信の参加を要請された端末装置の情報を表示する。端末装置２０ｃ−１を使用するユーザは、表示画面３００に従って、グループ通信に参加するか否かを回答する。具体的には、ユーザは、グループ通信に参加する場合にはＹＥＳボタン３１０を押し、参加しない場合にはＮＯボタン３２０を押す。端末装置２０ｃ−１は、ＹＥＳボタン３１０が押された場合には、グループ通信への参加を示す応答結果（参加）を基地局装置１０ｃに送信する。端末装置２０ｃ−１は、ＮＯボタンが押された場合には、グループ通信への不参加を示す応答結果（参加拒否）を基地局装置１０ｃに送信する。なお、「応答結果（参加）」を「応答結果（許可）」あるいは「参加を示す応答」と呼ぶ場合もある。また、「応答結果（参加拒否）」を「応答結果（不参加）」あるいは「応答結果（不許可）」あるいは「不参加を示す応答」と呼ぶ場合もある。
【０１０４】
図７を参照する。端末装置２０ｃ−１は、応答結果（参加）を基地局装置１０ｃに送信する（ステップＳ２３）。基地局装置１０ｃは、端末装置２０ｃ−１がグループ通信に参加することを示す端末装置参加情報を管理装置３０に送信する（ステップＳ２４）。なお図７において、端末装置２０が基地局装置１０に送信するデータを「応答結果」とし、基地局装置１０が管理装置３０に送信するデータを「端末装置参加情報」としているが、両者は実質的に同じ内容であり、用語を区別しなくてもよい。例えば、「端末装置参加情報」を「応答結果」と呼んでもよい。「端末装置参加情報」は、「応答情報」とも呼ばれる。管理装置３０の取得部３５は、基地局装置１０から応答情報を取得する。この応答情報には、端末装置２０から送信された応答結果が含まれる。
【０１０５】
端末装置２０ｃ−２は、応答結果（参加）を基地局装置１０ｃに送信する（ステップＳ２５）。基地局装置１０ｃは、端末装置２０ｃ−２がグループ通信に参加することを示す端末装置参加情報を管理装置３０に送信する（ステップＳ２６）。
【０１０６】
端末装置２０ｃ−３は、応答結果（参加拒否）を基地局装置１０ｃに送信する（ステップＳ２７）。基地局装置１０ｃは、端末装置２０ｃ−３がグループ通信に参加の拒否を示す端末装置参加情報を管理装置３０に送信する（ステップＳ２８）。
【０１０７】
管理装置３０の通信制御部３４は、ステップＳ１９で起動したタイマーがタイマー時間（所定時間）だけ待機した後、その時点までに受信した端末装置参加情報を基づいて、グループ通信を開始するか否かを判定する（ステップＳ２９）。例えば、通信制御部３４は、「参加」の応答をした端末装置の数が所定数以上の場合に、グループ通信開始と判定し、「参加」の応答をした端末装置の数が所定数未満である場合に、グループ通信不許可(中止)と判定する。つまり、グループ通信参加情報が所定の条件を満たす場合にのみ、グループ通信を開始する。ある端末装置から所定時間以内に応答結果を受信できない場合は、その端末装置は無反応の端末装置と判定する。図７では、端末装置２０ｃ−４は、所定時間以内に参加応答を送信していないため、無反応の端末装置と判定される。管理装置３０は、無反応の端末装置を参加拒否の端末装置と同じ扱いにしてもよいし、異なる扱いにしてもよい。また、通信制御部３４は、取得部３５がステップＳ２０ｃで取得したリソース確保応答（成功）に基づいて、グループ通信を開始するか否かを判定してもよい。例えば、リソース確保応答（成功）が所定数以上取得された場合に、グループ通信を開始すると決定してもよい。また、通信制御部３４は、端末装置の「参加」応答が所定数α以上であり、かつリソース確保応答（成功）が所定数β以上である場合に、グループ通信を開始すると決定してもよい。リソース確保応答をリソース確保情報とも呼ぶ。
【０１０８】
管理装置３０は、基地局装置１０ａに対して、グループ通信の判定結果を通知する（ステップＳ３０）。ステップＳ３０において、管理装置３０は、基地局装置１０ａに対して、グループ通信開始の判定結果を通知する。なお、図７に示す例では、管理装置３０は、「グループ通信許可」を通知しているが、「グループ通信不許可（中止）」を通知する場合もある。基地局装置１０ａは、端末装置２０ａ−１に対して、グループ通信判定結果（本図では、通信許可）を通知する（ステップＳ３１）。
【０１０９】
端末装置２０a−１は、グループ通信許可を受信すると、グループ通信を開始する（ステップＳ３２）。ステップＳ３０では、例えば端末装置２０a−１でそれまで出力されていた呼出音が停止される。これにより、端末装置２０a−１を使用するユーザは、通信可能な状態（発話可能な状態）であることを認識する。
【０１１０】
端末装置２０ａ−１が通信を開始できる状態になると、端末装置２０ａ−１は、基地局装置１０ａに対し音声信号を送信する（ステップＳ３３）。基地局装置１０ａは、端末装置２０ａ−１から受けた音声信号を管理装置３０に送信する（ステップＳ３４）。管理装置３０は、基地局装置１０ａから受けた音声信号を基地局装置１０ｃに送信する（ステップＳ３５）。
【０１１１】
基地局装置１０ｃは、管理装置３０から受けた音声信号を端末装置２０ｃ−１と、端末装置２０ｃ−２とに送信する（ステップＳ３６ａ、ステップＳ３６ｂ）。このように、応答結果（参加）を基地局装置１０ｃに送信した、端末装置に音声信号が配信される。すなわち、応答結果（参加拒否）を送信した端末装置２０ｃ−３および応答結果を所定時間以内に送信しなかった端末装置２０ｃ−４に対しては、音声信号が配信されない。
【０１１２】
端末装置２０a−１は、グループ通信不許可(中止)を受信すると、端末装置２０a−１でそれまで出力されていた呼出音が停止され、エラー音が出力される。この場合、端末装置２０a−１の表示画面に例えば「グループ通信不許可(中止)」といったメッセージが表示される。これにより、ユーザはグループ通信の中止を認識できる。
【０１１３】
管理装置３０は、グループ参加情報（通信結果情報）を作成する。取得部３５は、記憶部３３の第２の端末データベース３３２を参照し、グループ通信の対象になったグループ（ここでは「グループ＃１」）に関連するデータを全て取得する。例えば、図９に示す例では、「グループ＃１」に関連するデータは、端末装置ＩＤが「＃２０ａ−３」以外のデータ全てなので、これらを全て取得する。つまり、取得部３５は、特定のグループに対応する端末装置ＩＤ、ユーザＩＤ、基地局ＩＤ、登録情報を第２の端末データベース３３２（記憶部３３）から取得する。取得部３５が記憶部３３から取得するデータは、端末装置２０が受信可能であるか否かを示す情報（登録情報）、すなわちグループ通信時の端末装置２０の状態（動作情報）を含んでいるため、端末装置の動作情報であるといえる。端末装置の動作情報は、「端末動作情報」、あるいは「端末状態情報」、あるいは「端末情報」とも呼ばれる。なお、第２の端末データベース３３２に格納されているデータは、管理装置３０が基地局装置１０から取得したデータ（端末装置ＩＤ、ユーザＩＤ、グループＩＤ、基地局ＩＤ）、および管理装置３０が基地局装置１０から取得したデータ（基地局装置ＩＤ）をもとに作成されたデータ（登録状態）であるため、取得部３５はグループ参加情報の作成に必要な端末動作情報を基地局装置１０から取得するともいえる。次に、処理部３２は、取得部３５が記憶部から取得したデータと、取得部３５が取得したで取得したリソース確保情報と、取得部３５が取得した応答情報とをもとに、グループ参加情報を作成する。グループ参加情報は、図６に示す参加情報データベース２６１と同様な情報を含んでいる。つまり、グループ参加情報（通信結果情報）は、端末装置ＩＤと、ユーザＩＤと、基地局ＩＤと、参加情報とを含む。ただし、ユーザＩＤを省略してもよい。
【０１１４】
処理部３２は、次のようにしてグループ参加情報の「参加情報」フィールドの内容（値）を設定する。
（１）取得部３５が端末装置データベース３３１から取得したデータの中で登録状態が「登録」であるデータを対象にして、「応答結果（参加）」を取得した端末装置２０の参加情報を「参加」とする。
（２）取得部３５が端末装置データベース３３１から取得したデータの中で登録状態が「登録」であるデータを対象にして、「応答結果（不参加）」を取得した端末装置２０の参加情報を「参加拒否（不参加）」とする。
（３）取得部３５が端末装置データベース３３１から取得したデータの中で登録状態が「登録」であるデータを対象にして、所定時間以内に応答結果を取得できなかった端末装置２０の参加情報を「無反応」とする。
（４）取得部３５が端末装置データベース３３１から取得したデータの中で登録状態が「未登録」である端末装置２０の参加情報を「電源オフ」とする。また、グループ通信時に端末装置２０が通信圏外エリアに位置していたことを管理装置３０が認識できる場合は、その端末装置２０の参加情報を「圏外」としてもよい。また、「電源オフ」と「圏外」をまとめて、参加情報を「参加不可能」としてもよい。つまり、グループ通信時に受信不可能な状態であった端末装置２０の参加情報を「参加不可能」としてもよい。
（５）ステップＳ２０ｃにおいて、取得部３５がリソース確保応答（失敗）を取得した基地局装置１０に属する端末装置２０の参加情報を「リソース不足」とする。
（６）ステップＳ２０ｃにおいて、取得部３５が所定時間以内にリソース確保応答を取得できない場合、本来リソース確保応答を送信すべき基地局装置１０と管理装置３０との間のネットワーク障害の可能性が高い。このため、その基地局装置１０に属する端末装置２０の参加情報を「ネットワーク障害」とする。
【０１１５】
これらの参加情報のうち、「リソース不足」と「ネットワーク障害」は基地局装置１０側の要因であり、残りは端末装置２０側の要因である。基地局装置１０から端末装置２０に対して、グループ参加要求（データ）が送信されない場合、すなわち、基地局装置１０側に問題がある場合、その要因として２つの要因（「リソース不足」あるいは「ネットワーク障害」）のいずれかが参加情報フィールドに示される。また、端末装置２０側の要因として、「参加」、「参加拒否（不参加）」、「無反応」、「電源オフ」の４ついずれかが参加情報に示される。すなわち、端末装置２０がグループ通信に不参加である場合、「参加拒否（不参加）」、「無反応」、「電源オフ」の３つの要因のうちのいずれかが参加情報に示される。端末装置２０がグループ通信に不参加である場合に示される要因の数は、これよりも多くてもよく、少なくてもよい。例えば、「電源オフ」を省略し、「参加拒否（不参加）」と「無反応」の２種類の要因を示すようにしてもよい。
【０１１６】
グループ通信開始後、あるいはグループ通信終了後に、基地局装置１０ａに対しグループ参加情報を送信する（ステップＳ３７）。基地局装置１０ａは、端末装置２０ａ−１に対し、グループ参加情報を送信する（ステップＳ３８）。グループ参加情報には、グループ通信に参加した端末装置とそのエリア情報、参加拒否した端末装置とそのエリア情報、参加要求に対して無反応だった端末装置とそのエリア情報、そしてリソース不足やネットワーク切断状態のエリア情報とそのエリア内で管理されている端末装置を収集した情報が含まれる。端末装置２０ａ−１は、管理装置３０から受けたグループ参加情報を任意の表示部に表示する（ステップＳ３７）。そして、図７の処理は終了する。
【０１１７】
図１０を用いて、ステップＳ３７において表示部に表示されるグループ参加情報について説明する。図１０は、表示部に表示されるグループ参加情報を示す図である。
【０１１８】
図１０は、表示部に表示される表示画面４００を示している。基地局装置１０ｃに登録された端末装置２０ｃ−１は、背景が薄いクロス模様で表示されており、これは「参加拒否」であることを示している。端末装置２０ｃ−２および端末装置２０ｃ−３は、背景が横縞で表示されており、これは「無反応」であることを示している。このように、本実施形態によれば、グループ通信の配信状況をより詳細にユーザに通知することができる。
【０１１９】
なお、システム管理装置が基地局装置を経由して、端末装置にグループ参加情報を送信するタイミングは、グループ通信が開始された以降の任意のタイミングであってよい。つまり、グループ通信が継続中に送信してもよいし、グループ通信が終了した後に送信してもよい。
【０１２０】
例えば、管理装置３０は、ステップＳ２８のグループ通信許可と同時に、グループ参加情報を基地局装置１０ａに送信してもよい。ステップＳ３５を省略することも可能である。ただし、グループ通信開始後、特にグループ通信終了後に、グループ参加情報を送信すると、より詳細な情報を端末装置に提供できる。例えば、グループ通信中にある基地局装置に障害が発生し、その基地局装置に登録された端末装置が通信の途中から受信できなくなった場合に、そのような情報をグループ参加情報に含めることができる。
【０１２１】
なお、図７において、端末装置２０ａ−１に対してのみグループ参加情報が提供されているが、これに限らず、グループ通信に参加した他の端末装置に対してグループ参加情報が提供されてもよい。あるいは、グループ通信に参加しなかった端末装置に対しても、グループ参加情報が提供されてもよい。例えば、グループ通信終了後に、グループ通信に参加しなかった端末装置を含めて、グループ通信に係る端末装置に対して、管理装置３０がグループ参加情報をメール等で通知してもよい。また管理装置３０は、グループに属しているか否かに係らずグループ参加情報を端末装置あるいは他の装置に送信してもよい。例えば、通信システムを管理する管理者の使用する端末装置（管理端末）にグループ参加情報を送信してもよい。
【０１２２】
［開始条件設定処理］
上述の処理では、管理装置３０が、予め定められた条件を用いて、グループ通信開始の可否を判定したが、端末装置２０ａ−１がグループ通信の開始条件を設定してもよい。この場合、管理装置３０は、端末装置２０ａ−１が設定した条件に従って、可否を判定する。すなわち、端末装置２０ａ−１は、グループ通信を開始するための必要条件を設定する。
【０１２３】
グループ通信の開始条件を設定する場合、図７のステップＳ１１で送信するグループ通信開始要求の情報に、開始条件を含める。
【０１２４】
端末装置２０ａ−１は、グループ通信開始の際に、グループ通信開始要求の情報に含める情報をユーザに設定させる。すなわち、ユーザは、グループ通信を開始する条件を指定することができる。
【０１２５】
図１１を用いて、グループ通信を開始する条件を設定する方法について説明する。図１０は、グループ通信を設定する方法の一例を説明するための図である。
【０１２６】
図１１には、グループ通信を開始する条件を設定するための設定画面５００を示している。設定画面５００では、例えば「グループ通信の開始条件を選択してください」と表示される。設定画面５００には、参加人数選択領域５１０と、参加率選択領域５２０と、ユーザ選択領域５３０とが含まれる。
【０１２７】
参加人数選択領域５１０を選択することで、グループ通信の開始条件として参加人数を指定することができる。参加率選択領域５２０を選択することで、グループ通信の開始条件としてグループ通話への過去の参加率を指定することができる。ユーザ選択領域５３０を選択することで、グループ通信の開始条件として特定のユーザの参加をしていることを設定できる。各領域は、例えば表示部に設けられたタッチパネル、表示部に接続された操作部で選択することができる。また、各々の選択肢において、ユーザは待ち時間を指定することができる。
【０１２８】
図１２Ａを用いて、グループ通信を開始させる条件としてグループ通信の参加人数を設定する方法について説明する。図１２Ａは、グループ人数を設定する方法の一例を説明するための図である。
【０１２９】
図１２Ａには、グループ通信の参加人数を設定する設定画面６００Ａを示している。図１１に示す設定画面５００において、参加人数選択領域５１０を選択すると設定画面５００から設定画面６００Ａに遷移する。設定画面６００Ａには、例えば「グループの参加人数と待ち時間を指定してください」と表示される。設定画面６００Ａは、参加人数指定領域６１０と、待ち時間指定領域６２０とを含む。参加人数指定領域６１０は、グループの参加人数を指定するための領域である。参加人数指定領域６１０には、参加人数を直接入力してもよいし、参加人数指定領域６１０に含まれる上下の矢印ボタンで入力してもよい。各領域への数値の入力方法は、同様なので以下では説明は省略する。待ち時間指定領域６２０は、待ち時間を指定するための領域である。
【０１３０】
設定画面６００Ａにおいて、参加人数を「４」と指定すると、４人以上のユーザが「参加」の応答結果を返した場合に、グループ通信が成立する。発呼した端末装置２０は、その参加人数および待ち時間の情報を含めたグループ通信開始要求を送信する。管理装置３０は、指定された待ち時間以内に、指定された参加人数以上の「参加」応答が集まった場合に、グループ通信許可を通知する。
【０１３１】
図１２Ｂを用いて、グループ通信を開始させる条件としてグループ通信への参加率を設定する方法について説明する。図１２Ｂは、参加率を設定する方法の一例を説明するための図である。
【０１３２】
図１２Ｂには、グループ通信の参加率を設定する設定画面６００Ｂを示している。図１１に示す設定画面５００において、参加率選択領域５２０を選択すると設定画面５００から設定画面６００Ｂに遷移する。設定画面６００Ｂには、例えば「グループの参加率と待ち時間を指定してください」と表示される。設定画面６００Ｂは、待ち時間指定領域６２０と、参加率指定領域６３０を含む。参加率指定領域６３０は、グループへの参加率を指定するための領域である。
【０１３３】
参加率指定領域６３０には、参加率の初期値として、呼出側の端末装置２０の過去の参加率の平均値が表示される。例えば、５つの端末装置２０の過去の参加率が「１００％」、「８０％」、「５０％」、「２０％」、「０％」である場合、これらの平均値「５０％」が初期値として表示される。ユーザは、初期値を参考にして、参加率を任意の値に変更することができる。なお、参加率は、呼出端末に関する参加率であってもよいし、発呼端末と呼出端末とを合わせたグループ通信に係る全ての端末装置２０に係る参加率であってもよい。
【０１３４】
発呼側の端末装置２０は、その参加率の情報および待ち時間を含めたグループ通信開始要求を送信する。管理装置３０は、指定された待ち時間以内に、指定された参加率以上の「参加」応答が集まった場合に、グループ通信許可を通知する。
【０１３５】
図１２Ｃを用いて、グループ通信を開始させる条件として特定のユーザの参加を設定する方法について説明する。図１２Ｃは、グループ通信を開始させる条件として特定のユーザの参加を設定する方法の一例を説明するための図である。
【０１３６】
図１２Ｃには、グループ通信に必須のユーザを設定する設定画面６００Ｃを示している。図１１に示す設定画面５００において、ユーザ選択領域５３０を選択すると設定画面５００から設定画面６００Ｃに遷移する。設定画面６００Ｂには、例えば「グループ参加必須ユーザと待ち時間を指定してください」と表示される。設定画面６００Ｂは、待ち時間指定領域６２０と、ユーザ指定領域６４０を含む。ユーザ指定領域６４０は、グループへの参加が必須のユーザを指定するための領域である。
【０１３７】
ユーザ指定領域６４０において、ユーザは、グループ通信の成立に必要なユーザの名前または端末装置の名称を１つ以上、任意の数だけ選択することができる。ユーザ指定領域６４０には、ユーザの名前と、チェックボックスが表示されおり、チェックボックスにチェックを入れることでグループ通信に成立に必要なユーザを指定することができる。設定画面６００Ｃに示す例では、ユーザ指定領域６４０には、第１ユーザと、第２ユーザと、第３ユーザと、第４ユーザとが表示されており、第１ユーザと、第３ユーザとが選択されている。この場合、第１ユーザおよび第３ユーザが両方とも、待ち時間以内に「参加」応答しないと、グループ通信が成立しない。発呼側の端末装置は、そのグループ参加必須とするユーザの情報および待ち時間を含めたグループ通信開始要求を送信する。システム管理装置は、指定されたユーザ全てから、指定された時間以内に「参加」応答が集まった場合に、グループ通信許可を通知する。
【０１３８】
図１３を用いて、表示部に表示させる表示条件を選択する方法について説明する。図１３は、表示部に表示させるグループ参加情報の表示条件を選択する方法の一例を説明するための図である。
【０１３９】
図１３、表示部に表示させる表示条件を選択するための表示画面６００Ｄを示している。ユーザは、例えばＳｅｌｅｃｔボタン４４０を選択することで表示画面６００Ｄを表示させることができる。
【０１４０】
表示画面６００Ｄには、表示部に表示させる表示条件が示されている。表示条件は、例えば複数の項目から構成される。図１３に示す例では、表示条件は、基地局（基地局条件）と、端末状態（表示状態条件）と、端末表示数（端末表示数条件）の３つの項目（条件）から構成されている。なお、以下ではこの３つの項目について説明するが、これは例示であり、本発明を限定するものではない。表示条件は、１つであってもよいし、２つであってもよいし、更に多くの項目から構成されていてもよい。
【０１４１】
基地局の項目は、基地局装置１０ａと、基地局装置１０ｂと、基地局装置１０ｃと、基地局装置１０ｄとを含む。ユーザは、基地局装置１０ａと、基地局装置１０ｂと、基地局装置１０ｃと、基地局装置１０ｄとのうち、グループ参加情報に表示させる基地局装置を少なくとも１つ選択することができる。すなわち、複数選択可能である。ユーザは、基地局の各項目のうち、例えば表示させる基地局装置のチェックボックスにチェック印を付けることで選択する。例えば、基地局装置１０ａのみ選択された場合には、基地局装置１０ａのグループ参加情報のみが表示される。なお、デフォルト状態で、全ての基地局装置１０が選択されてもよい。
【０１４２】
端末状態の項目は、「参加」と、「電源オフ」と、「リソース不足」と、「ネットワーク障害」とを含む。ここで、「電源オフ」は、端末装置が電源オフであったために端末装置が不参加になったことを示し、「リソース不足」は、基地局装置のリソース不足のために端末装置が不参加になったことを示し、「ネットワーク障害」は、基地局装置と接続されたネットワークＮＷの障害により端末装置が不参加になったことを示す。ユーザは、これらの各項目（選択肢）の中から、グループ参加情報に表示させる端末状態を少なくとも１つ選択することができる。すなわち、複数選択可能である。ユーザは、端末状態の各項目のうち、例えば表示させるチェックボックスにチェック印を付けることで選択する。例えば、「参加」のみ選択された場合には、グループ通話に参加した端末装置のみが表示される。
【０１４３】
表示端末数の項目は、「１０台」と、「３０台」と、「５０台」と、「１００台」とを含む。表示端末数の項目では、表示部２４に一度に表示する端末装置の数を選択することができる。ユーザは、これらの各項目（選択肢）の中から、１つを選択することができる。ユーザは、各項目のうち、例えば表示させるチェックボックスにチェック印を付けることで選択する。例えば、「１０台」が選択された場合には、一度に表示させる端末装置の台数は１０台となる。この場合、処理部２５は、スクロール操作や、ページの切替操作を受け付けることで、全ての端末を表示するようにすればよい。このような表示を行うことで、１つの画面に表示される情報が必要以上に多くなり、画面表示が複雑になり過ぎることを防止できる。このためユーザは、グループ通信に関する配信状況や参加状況を容易に把握することができる。
【０１４４】
なお、表示する端末数を制限する方法として、以下の方法を用いていもよい。例えば、図９に示す端末装置データベース３３１に、端末装置ＩＤに対応させて端末装置の優先度（プライオリティ）を記憶しておく。優先度としては、例えば、「１」から「１０」までの数値を用い、数値が大きいほど優先度が高い端末装置であることを示すようにする。例えば、グループの責任者や管理者などの重要なユーザが使用する端末装置の優先度を「１０」などと高く設定しておく。そして、表示画面４００Ｄと同様な表示条件を選択する画面において、端末装置の優先度に関する条件を選択できるようにする。ユーザは、例えば、「優先度８以上の端末装置のみを表示する」といった選択をする。そして、ユーザが選択した条件に合致する端末装置についてグループ参加情報を表示し、その他の端末装置に関する表示を省略すればよい。このような表示をすることにより、画面に表示される情報が必要以上に多くなり、画面表示が複雑になり過ぎることを防止することができる。
ユーザは、表示画面４００Ｄを用いて表示条件を設定した後、図１３に示す「Ａｌｌ  Ｌｉｓｔ」ボタン４１５と、「Ｓｕｃｃｅｓｓ  Ｌｉｓｔ」ボタン４２０と、「Ｆａｉｌｕｒｅ  Ｌｉｓｔ」ボタン４３０のいずれかを選択する（押す）ことにより、所望の形式でグループ参加情報を表示部２４に表示させることができる。例えば、「Ａｌｌ  Ｌｉｓｔ」ボタン４１５を選択すると、図１０に示す表示画面４００が表示される。ここで表示される情報には、表示画面６００Ｄで設定された表示条件が反映される。
【０１４５】
上述のとおり、本実施形態によれば、グループ通信の配信状況を詳細にユーザに通知することができる。その結果、ユーザは、各基地局装置および各端末装置の通信状況を適切に把握することができる。
【０１４６】
また、本実施形態ではグループ通信の一例として、音声データを送受信するグループ通話を行う通信システムを説明したが、これに限らず、テキスト、画像、映像等のデータを送受信するグループ通信であってもよい。例えば、３つ以上の端末装置においてテキストメッセージを交換するチャット等のグループ通信を行ってもよい。
【０１４７】
また、業務用無線システムを例に説明したが、これに限らず、他の通信システムであってもよい。例えば、携帯電話網を用いたグループ通信であってもよい。端末装置は、携帯電話、スマートフォン、タブレット端末、コンピュータ（パソコン）等であってもよい。また、端末装置は必ずしもユーザが携帯可能である必要はなく、また移動可能でなくてもよい。例えば、デスクトップ型のコンピュータであってもよい。
【０１４８】
以上、本発明の実施形態を説明したが、これら実施形態の内容により実施形態が限定されるものではない。また、前述した構成要素には、当業者が容易に想定できるもの、実質的に同一のもの、いわゆる均等の範囲のものが含まれる。さらに、前述した構成要素は適宜組み合わせることが可能である。さらに、前述した実施形態の要旨を逸脱しない範囲で構成要素の種々の省略、置換又は変更を行なうことができる。
【符号の説明】
【０１４９】
１  無線通信システム
１０  基地局装置
１１  アンテナ
１２，２７  通信部
１２１，２７１  受信部
１２２，２７２  送信部
１３，２５，３２  処理部
１４，３１  ネットワークＩＦ部
１５  リソース制御部
１６，２６，３３  記憶部
２０  端末装置
２１  マイク
２２  スピーカ
２３  操作部
２４  表示部
３０  管理装置
３４  通信制御部
３５  取得部
２６１  参加情報データベース
３３１  端末装置データベース
【図１】
2020161909.tif 000003
【図２】
2020161909.tif 000004
【図３】
2020161909.tif 000005
【図４】
2020161909.tif 000006
【図５】
2020161909.tif 000007
【図６】
2020161909.tif 000008
【図７】
2020161909.tif 000009
【図８】
2020161909.tif 000010
【図９】
2020161909.tif 000011
【図１０】
2020161909.tif 000012
【図１１】
2020161909.tif 000013
【図１２Ａ】
2020161909.tif 000014
【図１２Ｂ】
2020161909.tif 000015
【図１２Ｃ】
2020161909.tif 000016
【図１３】
2020161909.tif 000017